(57)【要約】【課題】予め記録されている追加情報をヘッダーに格納することができる情報担体を提供すること。【解決手段】本発明は、情報担体上のヘッダー３の少なくとも１つのグループの中の追加の情報フィールドＤＩに関する。この追加情報フィールドは、情報担体の特性を記述する情報を格納することに使用できる。この情報は、１つのヘッダーの情報フィールドＤＩの中に格納するか、またはこれに代えて、ヘッダー３のサブグループの情報フィールドＤＩの中に格納することができる。ヘッダーの第二グループの中に情報フィールドＤＩが存在しないときは、第二同期フィールドＶＦＯ２を情報フィールドＤＩにより置き換えることができる。【選択図】図３
2004508656.tif 000002
【特許請求の範囲】
【請求項１】
マークに符号化されるデータを記録するための情報領域を有する情報担体であって、当該情報領域が、トラック部分と交互に並ぶヘッダーを有するサーボパターンが設けられたトラックを有し、当該ヘッダーが、前記情報担体を使用するデバイス内のクロック周波数の同期を取るための所定の同期パターンを表すマークを有する同期フィールドと、位置情報を表すマークを有する第一識別フィールドと、位置情報を表すマークを有する後続の第二識別フィールドとを有する情報担体において、
少なくとも１つのヘッダーグループ内のヘッダーが、また、前記第一識別フィールドと前記第二識別フィールドの間に位置する情報フィールドを有し、当該情報フィールドが情報を表すマークを有することを特徴とする情報担体。
【請求項２】
前記情報フィールドが、前記情報担体の特性を記述する情報を表すマークを有することを特徴とする請求項１に記載の情報担体。
【請求項３】
第二ヘッダーグループ内の前記ヘッダーが、前記第一識別フィールドと前記第二識別フィールドの間に位置する第二同期フィールドも有し、当該第二同期フィールドが、前記情報担体が使用されるデバイス内のクロック周波数を同期させるための所定の同期パターンを表すマークを有することを特徴とする請求項１または２に記載の情報担体。
【請求項４】
前記情報領域が、制御情報を表すマークを有するリードインゾーンと、ユーザデータの記録を目的とするデータゾーンと、制御情報を表すマークを有するリードアウトゾーンとを有する情報担体において、
前記データゾーン内の前記ヘッダーが、前記第一識別フィールドと前記第二識別フィールドの間に位置する第二同期フィールドを有し、当該第二同期フィールドが、前記情報担体が使用されるデバイス内のクロック周波数を同期するための所定の同期パターンを表すマークを有することを特徴とする請求項３に記載の情報担体。
【請求項５】
前記情報が、ヘッダーのサブグループに分散されていることを特徴とする請求項１または２に記載の情報担体。
【請求項６】
前記情報が、所定の数の連続するヘッダーに分散されていることを特徴とする、請求項５に記載の情報担体。
【請求項７】
前記情報が、ヘッダーのサブグループに前記情報を分散させる前にエラー訂正符号によって符号化されることを特徴とする請求項５に記載の情報担体。
【請求項８】
前記記録領域が、記録されたデータを有することを特徴とする請求項１〜６のいずれかに記載の情報担体。
【請求項９】
前記情報担体が、読み取り専用タイプであることを特徴とする請求項８に記載の情報担体。
【請求項１０】
マークに符号化されるデータを記録するための情報領域を有する情報担体からデータを読み取るための読み取りデバイスであって、当該情報領域が、トラックの部分と交互に並ぶヘッダーを有するサーボパターンが設けられた前記トラックを有し、当該ヘッダーが、前記情報担体が使用されるデバイス内のクロック周波数を同期するための所定の同期パターンを表すマークを有する同期フィールドと、位置情報を表すマークを有する第一識別フィールドと、位置情報を表すマークを有する後続の第二識別フィールドとを有し、当該デバイスが、前記情報担体からデータを検索するための読み取り手段を有する、読み取りデバイスにおいて、
前記読み取り手段が、前記ヘッダー内の前記第一識別フィールドと前記第二識別フィールドの間に位置する情報フィールドから前記情報担体の特性を記述する情報を検索するように構成されていて、かつ
前記読み取り手段が、前記情報担体の特性を記述する前記検索された情報に基づいて設定されることを特徴とする、
読み取りデバイス。
【請求項１１】
マークに符号化されるデータを記録するための情報領域を有する情報担体にデータを記録するための記録デバイスであって、当該情報領域が、トラックの部分と交互に並ぶヘッダーを有するサーボパターンが設けられた前記トラックを有し、当該ヘッダーが、前記情報担体が使用されるデバイス内のクロック周波数を同期するための所定の同期パターンを表すマークを有する同期フィールドと、位置情報を表すマークを有する第一識別フィールドと、位置情報を表すマークを有する後続の第二識別フィールドとを有し、当該デバイスが、前記情報担体からデータを検索するための読み取り手段と、前記情報担体にデータを記録するための記録手段とを有する、記録デバイスにおいて、
前記読み取り手段が、前記ヘッダー内の前記第一識別フィールドと前記第二識別フィールドの間に位置する情報フィールドから前記情報担体の特性を記述する情報を検索するように構成されていて、かつ
前記記録手段が、前記情報担体の特性を記述する前記検索された情報に基づいて設定されることを特徴とする、
記録デバイス。
【発明の詳細な説明】
【０００１】
【本発明が属する技術分野】
本発明は、マークに符号化されるデータを記録するための情報領域を有する情報担体であって、当該情報領域が、トラックの部分と交互に並ぶヘッダーを有するサーボパターンが設けられたトラックを有し、当該ヘッダーが、前記情報担体を使用するデバイス内のクロック周波数を同期するための所定の同期パターンを表すマークを有する同期フィールドと、位置情報を表すマークを有する第一識別フィールドと、位置情報を表すマークを有する後続の第二識別フィールドとを有する、情報担体に関する。
【０００２】
本発明は、前記情報担体からデータを読み取るための読み取りデバイスであって、当該読み取りデバイスが、前記情報担体からデータを検索するための読み取り手段を有する読み取りデバイスと、前記情報担体にデータを記録するための記録デバイスであって、当該記録デバイスが、前記情報担体からデータを検索するための読み取り手段と、前記情報担体にデータを記録するための記録手段とを有する記録デバイスと、にも関する。
【０００３】
本出願の範囲内では、マークは、例えば、位相変化型の光学情報担体上の結晶性周辺部（ｃｒｙｓｔａｌｌｉｎｅ ｓｕｒｒｏｕｎｄｉｎｇ）の中の非結晶領域や、エンボスデータを有する光学情報担体上のピットなど、情報担体上のすべての検出可能領域を含むものとする。しかしながら、マークは、光学的に検出可能な領域に限定されず、これに代えて磁気的または磁気光学的に検出可能な領域としても良い。
【０００４】
【従来の技術】
於て書きに記載の情報担体は、欧州電子計算機工業会規格ＥＣＭＡ−１５３とＥＣＭＡ−１５４から公知である。このような情報担体は、『Ｈａｎｄｂｏｏｋ ｏｆ Ｍａｇｎｅｔｏ−Ｏｐｔｉｃａｌ Ｄａｔａ Ｒｅｃｏｒｄｉｎｇ（磁気光学的データの記録のハンドブック）；ＭｃＤａｎｉｅｌ， ＴＷ ａｎｄ Ｖｉｃｔｏｒａ， ＲＨ；Ｎｏｙｅｓ Ｐｕｂｌｉｃａｔｉｏｎｓ；１９７７』にも記述されている。この公知の情報担体上で、データは、連続するらせんの３６０度のターンによって形成されているトラック内に記録される。各トラックは、その長手方向において多数のセグメントに分割されていて、各セグメントはヘッダーから始まる。データは、ヘッダーの間のセグメント領域に記録される。ヘッダーは、ヘッダー情報を表すパターンを有する。このヘッダー情報は、読み取りデバイスと記録デバイスにおいて、情報担体上のデータを正しく評価するため、または情報担体上に正しくデータを記録するために使用される。ヘッダーは、一般には製造時に、例えば、エンボス化によって形成されるいわゆるプレピットの形式で作成される。
【０００５】
各ヘッダーは、情報担体を使用する読み取りデバイスと記録デバイスにおけるクロックを同期させるための同期領域（いわゆるＶＦＯフィールド）を有する。このようなクロックは、例えば、デバイス内に配置された可変周波数発振器（ＶＦＯ）回路によって生成される。このＶＦＯフィールドは、マークの所定のパターンで構成され、「ロックアップする」ために、すなわちヘッダーが読み取られるときにデバイスの読み取り／書き込みチャネルクロックの正しい周波数と位相を確立するために使用される。より具体的には、ＶＦＯフィールドは、セグメントが書き込まれるときには書き込みチャネルのクロック周波数と位相を確立し、セグメントが読み取られるときには読み取りチャネルのクロック周波数と位相を確立する。この「ロックアップ」は、一般には、ＶＦＯフィールド内の同期パターンの読み取りから得られる信号に読み取り／書き込みチャネルクロックを関連付ける位相ロックループ（ＰＬＬ）回路によって実現される。また、ＶＦＯフィールドは、情報を表すマークとスペースのパターンの読み取りから得られるアナログの高周波（ＨＦ）信号をデジタル情報信号に変換する回路のスライスレベル（ｓｌｉｃｅｒ ｌｅｖｅｌ）を設定するのにも使用される。さらに、ＶＦＯフィールドは、アナログ−デジタル変換回路の全範囲が利用されるように、自動利得制御（ＡＧＣ）増幅器のダイナミックレンジを設定するためにも使用される。
【０００６】
各ヘッダーは、さらに、位置情報を有する識別フィールド（いわゆるＩＤフィールド）を有する。このＩＤフィールドは、セグメントのアドレス、すなわちトラック番号とセグメントのセグメント番号を表す予め記録されているアドレスマークを有する。位置情報を表すアドレスマークは、記録デバイスの記録ヘッドを目的のトラック上に位置させるために使用することができ、ヘッダーに続くセグメント領域のアドレスを示す。ヘッダー内の位置情報は、他のデータが情報領域に記録されていないときに特に有用である。なぜなら、この場合、これが、情報担体上の読み取りスポットの位置を決定する唯一の方法であるからである。
【０００７】
ヘッダー内の識別フィールドの正しい読み取りを確実にするため、同期領域を識別フィールドの前に置く。これにより、読み取り手段の回路が、識別フィールド内のアドレスマークを正しく読み取ることができるように設定される。
【０００８】
さらにヘッダーから位置情報が誤って読み取られることを防ぐため、各ヘッダーは、少なくとも２つの識別フィールドを有する。これらの２つの識別フィールドは、空間的に離れている。このため、情報担体の局所的な劣化（例えば、指紋やほこりによる劣化）のために第一識別フィールドが読み取り不能になっても、第二識別フィールドは読み取ることができる。１つのヘッダー内の各識別フィールドは、同じアドレスを含む。しかしながら、識別フィールドをまたいでの周期冗長検査（ＣＲＣ）符号ワードと、識別フィールドが最初か２番目かを示す数とが存在するため、第一識別フィールド内のアドレスを符号化するマークのパターンは、第二識別フィールド内のアドレスを符号化するマークのパターンとは異なることがある。
【０００９】
この公知の情報担体の問題点は、ヘッダーに含めることができる情報量が限られていることである。このことは、ヘッダーが、例えば、エンボスピットの形式で予め記録されている情報を保持できる情報担体上の唯一の領域である場合に、特に問題である。
【００１０】
【課題を解決するための手段】
本発明の目的は、特に、予め記録されている追加情報をヘッダーに格納することができる情報担体を提供することである。
【００１１】
この目的のため、冒頭の段落で説明されている本発明による情報担体は、少なくとも１つのヘッダーグループ内のヘッダーが、前記第一識別フィールドと前記第二識別フィールドの間に位置する情報フィールドも有し、当該情報フィールドが、情報を表すマークを有することを特徴とする。このことは、ヘッダー内で追加情報が利用できるという効果を有する。
【００１２】
公知の情報担体においては、ヘッダー内の各識別フィールドの前に同期領域が置かれている。このため、１つのヘッダー内の各識別フィールドを読み取る前に、読み取り手段の回路が設定される。本発明は、情報担体のヘッダー内におけるように、連続する識別フィールドが互いに近くに位置していれば、各識別フィールドを読み取る前に、読み取り手段の回路を設定する必要がないという認識に基づく。従って、ヘッダー内の第一識別フィールドの前に１つの同期領域があれば十分であるので、他の識別フィールドを情報フィールドに置き換えることができる。このようにして、追加情報を格納するためのスペースが得られる。
【００１３】
本発明による情報担体の一実施例は、前記情報フィールドが、前記情報担体の特性を記述する情報を表すマークを有することを特徴とする。このことは、追加情報を格納するために利用可能になるスペースが、情報担体の特性を記述する情報を格納するのに使用されるときに、特に有用である。情報担体が、読み取りデバイスまたは記録デバイスの中に挿入されると、ヘッダー情報と、情報担体の特性を記述する情報とを検索することが可能となる。この情報に基づいて、デバイス内の読み取り手段または記録手段を、この特定情報担体に適合するように設定することができる。
【００１４】
情報担体のヘッダー内の情報フィールドに格納することができる、情報担体の特性を記述する情報の例は、特に、記録層の数、記録層のタイプ、リードパワー、ライトパワー、ライトパワーに対する消去パワーの比率、ライトパワーに対するバイアスパワーの比率、記録デバイスの最適パワー制御（ＯＰＣ：Ｏｐｔｉｍｕｍ Ｐｏｗｅｒ Ｃｏｎｔｒｏｌ）手順で使用されるパラメータ、情報担体にデータを記録するために記録デバイスによって生成される書き込みパルスのシーケンスの形状を記述するパラメータである。
【００１５】
本発明による情報担体のさらなる実施例は、第二ヘッダーグループ内の前記ヘッダーが、前記第一識別フィールドと第二識別フィールドの間に位置する第二同期フィールドも有し、当該第二同期フィールドが、前記情報担体が使用されるデバイス内のクロック周波数を同期するための所定の同期パターンを表すマークを有することを特徴とする。情報フィールドは、情報担体のすべてのヘッダー内に存在しても良いし、また、１つのヘッダーグループ内のみに存在しても良い。情報フィールドを有さないヘッダーにおいては、同期フィールドは、位置情報を表すマークを有する識別フィールドの直前に位置する。
【００１６】
例えば、情報領域が、制御情報を表すマークを有するリードインゾーン（ｌｅａｄ−ｉｎ ｚｏｎｅ）と、ユーザデータの記録を目的とするデータゾーンと、制御情報を表すマークを有するリードアウトゾーン（ｌｅａｄ−ｏｕｔ ｚｏｎｅ）とを連続的に有するとき、リードインゾーン内とリードアウトゾーン内のヘッダーが、情報フィールドを有し、他方、データゾーン内のヘッダーが、第二同期フィールドを有することができる。
【００１７】
本発明による情報担体の一実施例は、前記情報がヘッダーのサブグループに分散されることを特徴とする。ヘッダーの情報フィールドに大量の情報を格納する必要がある場合、その情報は、部分に分割され、かつこれらの部分は、様々なヘッダーの情報フィールドに記録されるる。情報担体から情報を検索するためには、その前に様々な情報フィールドからすべての部分を読み取る必要がある。
【００１８】
本発明による情報担体のさらなる実施例は、前記情報が、所定の数の連続するヘッダーに分散されることを特徴とする。このようにして、半径方向における読み取りスポットのジャンプが必要ないため、情報を、ヘッダーから非常に簡単にかつ非常に高速に検索することが可能になる。
【００１９】
情報フィールドに分散されて記録されている情報が誤って検索されることが無いように、この情報は、エラー訂正符号によって保護することができる。このエラー訂正符号は、所定数のヘッダーの情報フィールドの中のすべての情報に適用される。
【００２０】
本発明のさらなる目的は、本発明による情報担体から追加情報を検索することができる読み取りデバイスと記録デバイスを提供することである。
【００２１】
この目的は、冒頭の段落に記載されている本発明による読み取りデバイスにおいて、前記読み取り手段が、前記ヘッダー内の前記第一識別フィールドと前記第二識別フィールドの間に位置する情報フィールドから前記情報担体の特性を記述する情報を検索するように構成されていることと、前記読み取り手段が、前記情報担体の特性を記述する前記検索された情報に基づいて設定されることとを特徴とする、読み取りデバイスを提供することによって達成される。
【００２２】
また、この目的は、冒頭の段落に記載されている本発明による記録デバイスにおいて、前記記録手段が、前記ヘッダー内の前記第一識別フィールドと前記第二識別フィールドの間に位置する情報フィールドから前記情報担体の特性を記述する情報を検索するように構成されていることと、前記記録手段が、前記情報担体の特性を記述する前記検索された情報に基づいて設定されることとを特徴とする、記録デバイスを提供することによっても達成される。
【００２３】
本発明の上記およびその他の目的、特徴、利点は、以下の説明の中で具体例により説明される本発明の実施例と添付の図面とを参照しながら、さらに明確になるであろう。
【００２４】
【本発明を実施するための形態】
図１は、本発明の第一実施例による、光学的に読み取り可能なタイプのディスク形状の情報担体を示す。この情報担体１では、トラックは、情報担体の内側から外側方向に延びる１本のらせんグルーブ（グルーブトラック２２）と、隣接するグルーブの間の１本のらせんグルーブ（ランドトラック２３）とによって形成される。各トラックは、セグメント０からセグメント７までの番号が付けられた８つのセグメントに分割される。各セグメントは、エンボスピットと、ピット間のスペースとによるヘッダー情報を表すパターンを有するヘッダー領域３から開始される。データは、ヘッダー領域３の間にあるグルーブトラック２２部分と、間のランドトラック２３部分の両方に記録することができる。
【００２５】
図２は、情報担体１の線ｂ−ｂに沿った部分を示す。ヘッダー領域３は、セグメント１とセグメント２の間に位置する。セグメント１とセグメント２は、それぞれグルーブトラック２２とランドトラック２３を有する。ヘッダー領域３は、グルーブトラック２２に関連するグルーブヘッダー３２と、ランドトラック２３に関連するランドヘッダー３３とを有する。情報担体１が読み取られるとき、ランドヘッダー３３は、時間的にグルーブヘッダー３２より先に現れる。グルーブヘッダー３２とランドヘッダー３３は、エンボスピットの形式のマーク３１と、マーク間のスペース３０とのパターンによって表されるヘッダー情報を有する。
【００２６】
図３は、ヘッダー領域３の中のグルーブヘッダー３２またはランドヘッダー３３の図式レイアウトを示す。各ヘッダーは、図３ｂに線図的に示されているように、一定の総記憶容量（例えば、１０８０チャネルビット）を有する多数のフィールド３９により構成される。セクターマークフィールドＳＭは、一般に、ヘッダーの先頭に位置する。このＳＭフィールドは、それ自身が容易に発見されることを可能にする、従って、ヘッダーの先頭、つまりセグメントの先頭を明確に示すことを可能にする一意のパターンを含んでいる。
【００２７】
ヘッダーは、ＶＦＯフィールドであるＶＦＯ１と、２つのＩＤフィールドであるＩＤ１とＩＤ２を有する。ＶＦＯフィールドは、ヘッダーが読み取られるときに「ロックアップ」する、すなわち、デバイスの読み取り／書き込みチャネルクロックの適切な周波数と位相を確立するために使用される。また、ＶＦＯフィールドは、情報を表すマークとスペースのパターンを読み取ることによって得られるアナログ高周波（ＨＦ）信号をデジタル情報信号に変換する回路のスライスレベルを設定するためにも使用される。さらに、ＶＦＯフィールドは、アナログ−デジタル変換回路の全範囲が利用されるように、自動利得制御（ＡＧＣ）増幅器のダイナミックレンジを設定するためにも使用される。ＶＦＯフィールドは、マーク３１とスペース３０の所定の同期パターンにより構成される。
【００２８】
各ＩＤフィールドは、セグメントのアドレスを表すマーク３１とスペース３０のパターンを有する。ＩＤフィールドの第一部分は、トラック番号を保持し、第二部分は、セグメント番号を保持し、第３部分は、第一 ＩＤフィールドＩＤ１であるか第二 ＩＤフィールドＩＤ２であるかを識別する番号または周期冗長検査（ＣＲＣ）符号ワードなどの制御情報を保持する。１つのヘッダー内の第一 ＩＤフィールドＩＤ１と第二 ＩＤフィールドＩＤ２は、いずれも同じトラック番号と同じセグメント番号とを有する。
【００２９】
ヘッダーは、さらに、情報フィールドＤＩを有する。この情報フィールドＤＩは、例えば、記録層の数、記録層のタイプ、リードパワー、ライトパワー、ライトパワーに対する消去パワーの比率、ライトパワーに対するバイアスパワーの比率、記録デバイスの最適パワー制御（ＯＰＣ）手順で使用されるパラメータ、情報担体にデータを記録するために記録デバイスによって生成される書き込みパルスのシーケンスの形状を記述するパラメータなど、情報担体の特性を記述する情報を保持する。
【００３０】
情報フィールドＤＩは、情報担体１のすべてのヘッダー内に存在しても、１つのヘッダーグループ内のみに存在しても良い。情報フィールドＤＩを有さないヘッダーにおいては、第二同期フィールドＶＦＯ２は、図３ｃに示されているように第二識別フィールドＩＤ２の直前に位置する。
【００３１】
ヘッダー内の情報フィールドＤＩは、例えば、２８８チャネルビット、すなわち１５の情報バイトと５２の制御チャネルビットの一定の記憶容量を有する。この記憶容量は、情報担体の特性を記述するすべての情報を保持するには不十分であることがある。本発明では、ヘッダーのサブグループのいくつかの情報フィールドＤＩの情報は、それぞれが情報担体の特性を記述するいくつかのパラメータを保持する１つの情報フレームに、グループ化される。このようにして、情報はヘッダーのサブグループに分散される。
【００３２】
図４は、本発明の第二実施例による、光学的に読み取り可能なタイプのディスク形状の情報担体を示す。この情報担体２では、グルーブトラック２２は、情報担体の内側から情報担体の外側方向に延びる１本のらせんグルーブによって形成される。各トラックは、セグメント０からセグメント７までの番号が付けられた８つのセグメントに分割される。各セグメントは、ヘッダーから始まる。１６個の連続するヘッダー１０１〜１０８（すなわち、第一トラック２２内のヘッダー）と２０１〜２０８（すなわち、第二トラック２２内のヘッダー）の中の情報フィールドＤＩの中に含まれている情報は、１つの情報フレームにまとめてグループ化される。このようにして、１つの情報フレームは、２４０情報バイト（２トラック×８セグメント×１５情報バイト／セグメント）の記憶容量を有する。１つの情報フレームの中の情報は、例えば、リードソロモン符号などのエラー訂正符号によって保護することができる。
【００３３】
光学的に読み取り可能なタイプのディスク形状の情報担体は、具体例を示す目的でのみ示されている。さらに、本発明は、光学的に読み取り可能な情報担体に限定されない。これに代えて、本発明は、例えば、磁気的または磁気光学的に読み取り可能な情報担体にも適用できる。さらに留意すべき点として、ヘッダー内のフィールドの記憶容量は、単に一例として示してあるにすぎない。これに代えて、異なる容量を採用することもできる。
【００３４】
図５は、光学的に読み取り可能なタイプのディスク形状の情報担体１を読み取るための、本発明による読み取りデバイスを示す。この読み取りデバイスは、情報担体１から、同期フィールドＶＦＯ１内の情報、識別フィールドＩＤ１とＩＤ２、情報フィールドＤＩなどの情報を読み取るための読み取り手段４５を有する。読み取り手段４５は、放射線ビーム４６によりトラック２２、２３を走査する。放射線ビームは、例えば、読み取り手段４５の中に配置されるダイオードレーザによって生成される。情報担体１は、駆動手段によって駆動されて回転し、読み取り手段４５は、ビーム４６によりトラック２２、２３を読み取り、情報を表す光学的に読み取り可能なマークを電気信号４７に変換する。読み取りデバイスは、電気信号４７をデジタル情報信号４８に変換するための復号化手段５０と制御手段５５も有する。
【００３５】
情報フィールドＤＩの中に格納されている情報担体１の特性を記述する情報は、読み取り手段４５によって読み取られ、復号化手段５０によってデジタル情報信号４８に変換される。制御手段５５は、このデジタル情報信号４８から、それぞれ情報担体１の特性を記述する個々のパラメータを取り出す。このようなパラメータは、例えば、情報担体１から情報を読み取るための最適なリードパワーである。制御手段５５は、最適なリードパワーを指定するこのパラメータの値に基づいて、読み取り手段４５におけるリードパワーを制御する制御信号４９を生成する。
【００３６】
上述されている実施例が、本発明を制限するものではなく、かつ当業者が、添付されている請求項の範囲から逸脱することなく多数の代替実施例を設計できる点は、留意すべきである。請求項において、カッコ内の参照記号は、請求項を制限して解釈するものではない。語「有する」とこの活用形は、請求項に記載されている以外の要素とステップの存在を除外するものではない。
【図面の簡単な説明】
【図１】本発明の第一実施例による情報担体を示す。
【図２】ヘッダーを線図的に示す。
【図３】本発明の実施例にるヘッダーの図式レイアウトを示す。
【図４】本発明の第二実施例による情報担体を示す。
【図５】本発明による読み取りデバイスの実施例を示す。
【符号の説明】
１、２　情報担体
３　ヘッダー領域
２２　グルーブトラック
２３　ランドトラック
３０　スペース
３１　マーク
３２　グルーブヘッダー
３３　ランドヘッダー
３９　フィールド
４５　読み取り手段
４６　放射線ビーム
４７　電気信号
４８　デジタル情報信号
４９　制御信号
５０　復号化手段
５５　制御手段
１０１〜１０８、２０１〜２０８　ヘッダー
ＳＭ　セクターマークフィールド
ＶＦＯ１、ＶＦＯ２　同期フィールド
ＩＤ１、ＩＤ２　ＩＤフィールド
ＤＩ　情報フィールド
【図１】
2004508656.tif 000003
【図２】
2004508656.tif 000004
【図３】
2004508656.tif 000005
【図４】
2004508656.tif 000006
【図５】
2004508656.tif 000007
【国際公開パンフレット】
2004508656.tif 000008
2004508656.tif 000009
2004508656.tif 000010
2004508656.tif 000011
2004508656.tif 000012
2004508656.tif 000013
2004508656.tif 000014
2004508656.tif 000015
2004508656.tif 000016
2004508656.tif 000017
2004508656.tif 000018
2004508656.tif 000019
2004508656.tif 000020
2004508656.tif 000021
2004508656.tif 000022
2004508656.tif 000023
2004508656.tif 000024
【国際調査報告】
2004508656.tif 000025
2004508656.tif 000026
2004508656.tif 000027